(57)【特許請求の範囲】
【請求項１】
そこに位置する電気ケーブルとプラグをＢ形状に圧着し、前記電気ケーブルの中心軸と直交する直線を対称軸とし、前記対称軸に対して左右対称な形状を有する、圧着ツールのためのＢ形の圧着ダイであって、
ａ）第１の圧着曲線部分を定めている第１の圧着ダイの半体と；
ｂ）第２の圧着曲線部分を定めている第２の圧着ダイの半体と；
ｃ） 該圧着ダイの半体の閉じた状態において構築されるＢ形の圧着曲線であって、該Ｂ形の圧着曲線は、前記第１の圧着曲線部分、前記第２の圧着曲線部分、及び前記第１の圧着曲線部分から前記第２の圧着曲線部分への転移点によって定められるＢ形の圧着曲線と；を含み：
ｄ）該第２の圧着ダイの半体の曲線は、
ｄａ）前記対称軸との成す角度αが１°から７°の範囲である、直線の第１の直線脚部であって、圧着プロセスの間、該第１の圧着ダイの半体の移動方向から見る場合、該転移点の前に位置する第１の直線脚部により、及び、
ｄｂ）前記対称軸との成す角度βが３°から２０°の範囲である、直線の第２の直線脚部であって、圧着プロセスの間、該第１の圧着ダイの半体の移動方向から見る場合、該転移点の後ろに位置する第２の直線脚部により構築され、
ｅ）該第１の直線脚部の前記角度αは、該第２の直線脚部の前記角度βより小さい、Ｂ形の圧着ダイ。
【請求項２】
前記第２の圧着ダイの半体の前記曲線が前記転移点で湾曲する、請求項１の圧着ダイ。
【請求項３】
前記第２の圧着ダイの半体の前記曲線が転移点でねじれを含む、請求項１の圧着ダイ。
【発明の詳細な説明】
【技術分野】
【０００１】
（関連出願に対する相互参照）
本出願は、２０１１年２月２日に出願され、「Ｂ−Ｃｒｉｍｐ−Ｇｅｓｅｎｋ」と名付けられた、同時係属出願中のドイツの特許出願番号第１０  ２０１１  ０００  ４６４．５−３４号に優先権を請求するものである。
【０００２】
本発明は、圧着ツールのためのＢ形の圧着ダイに関するものである。圧着ダイは、そこに位置する少なくとも１つの電線又はケーブル（以下において「ケーブル」）でＢ形状に、メスコネクタ、ソケット、ジャック、コネクタ、ポート、プラグ、スリーブ、接点要素又はコネクタ（以下において「プラグ」）を押圧又は圧着する（以下において「圧着する」）ために使われる。
【背景技術】
【０００３】
いわゆる「Ｂ圧着」は例えば、ＣＳ１０、ＣＳＶ１０、ＣＳ３０、ＣＳ１００タイプの手動の圧着プライヤ又は出願人のＣＳ２００テーブル圧着装置で作成される。しかしながら、圧着ツールは、液圧で動かされる圧着ツール又はいかなるタイプの駆動によっても動かされるいかなるツールでもあり得る。
【０００４】
ドイツの基準ＤＩＮ  ＥＮ  ６０３５２−２（２００６年１１月バージョン）は、圧着スリーブの設計のプラグを記載する。これらの圧着スリーブは、Ｂ形の圧着ダイによって圧着されるために指定される。圧着プロセスの終わりで、大雑把な第一近似において、プラグは「Ｂ」の形をした外面曲線を有する。「Ｂ」の垂直脚部が凸曲率を有することは、可能である。さらに、「Ｂ」の中間の水平な脚部が少なくとも部分的に存在しないことは可能である。したがって、Ｂ形の圧着曲線が、２つのカーブする曲線領域間の中間の移行領域における点で成端することが可能である。ケーブルは、プラグとケーブルとの間で機械的接続及び／又は電気的接続を提供するため、「Ｂ」の範囲内で圧着される。
【０００５】
Ｂ形の圧着ダイは、いわゆる「ケーブル圧着」のために使われ、そこで、プラグは、剥離されたケーブル又は、プラグがケーブルの絶縁スリーブによって圧着されるいわゆる「絶縁クリンピング」、によって圧着される。Ｂ形の圧着ダイの範囲内で圧着されるプラグの選択のためのいくつかの例だけを挙げるとここで、Ｄ−サブコンタクトオス／メス、（ある場合でケーブルのための横のポートで）、ソケット及び端子、閉じた圧着スリーブを有するケーブルシュー、Ｄ−サブコンタクト又はＦｓｈ．６．３／ＤＦＫ  ２、ＨＤ２０コンタクト、ＨＤ２２コンタクト、Ｍｏｄｕ  ＩＶコネクタ、Ｐｏｓｔｌｏｃｋコンタクト、ＩＥＣコンタクト、ＭＱＳコンタクト、ＭＣＰ  １．５Ｋコンタクト、ＭＣＰ  ２．８Ｋコンタクトのような異なる電子回路接触のための万能ツール；ＭＣＰ  ６．３／４．８  Ｋコンタクト、マイクロパワーＱｕａｄｌｏｃｋ  ５．２、ミニＵＭＮＬ、マイクロタイマー、ジュニアパワータイマー、基準パワータイマーＴＡＢ５．８、ＡＢＳコンタクト、ＳＬＫ  ２．８コンタクト、ＭＬＫ  １．２コンタクト、ＬＫＳコンタクト、ＶＫＳ＋コンタクト、ＳＦＫループバネコンタクト、ＶＥＫバネコンタクト、平面コネクタ、ＭＫＲ／ＭＫＳ＋コンタクト、ｒｓＡ  ２＋コンタクト、ＲＡＭ−＋コンタクト、ＶＫＲ＋コンタクト、ＭＤＫ  ４／ＭＤＫ  ５コンタクト、ＲＡＭ機械加工コンタクト、ＤＦＫ  ３コンタクト、ＦＳ  ２．８＋コンタクト、ＡＦＫ／ＡＦＳ＋コンタクト、ＭＤＫ  ３コンタクト、ＤＦＫ  ４０コンタクト、ＭＱＳコンタクト、ＭＣＰコンタクト、ＲＳＡ  ２＋、ＭＫＲ−＋、ＭＫＳ−＋、ＲＡＭ−＋コンタクト、ＶＫＲ＋コンタクト、ＤＦＫ  ４コンタクト、平面押し付けソケット及び絶縁スリーブのないタップ、１．５／２．５ピン／ソケットＥＬＡコンタクト（各々密閉される又は密閉されない及び／又は絶縁又は絶縁されない、いかなる形状、設計及びサイズにおいて）が、言及される。プラグのさらなる例に関して、２０１０年のＷＥＺＡＧ社の広告パンフレット「プロ仕様のためのツール」が参照される。しかしながら、他のタイプのプラグのＢ形の圧着ダイを使用することも、可能である。
【０００６】
「ケーブル圧着」及び「絶縁クリンピング」の両方のＢ形の圧着プラグの基本的な表現及び説明は、２００７年発行、雑誌「Ｐｒｏｄｕｃｔｒｏｎｉｃ」７巻、３５−３６ページから参照することができる。
【０００７】
圧着ダイにおいてプラグを圧着するため、大きな圧着力を適用することが必要である。これらの大きな圧着力は、手動の作動、液圧駆動、又は、他の外部駆動により提供される。大きな圧着力を適用する必要条件にもかかわらず、圧着プロセスの終わりで、プラグの生成された外側表面及び曲線の高需要及び仕様が存在する。
【０００８】
現在の圧着ダイの１つの問題は、頻繁に、圧着プロセスの終わりで、除去力を適用せずに圧着ダイの圧着曲線からプラグを取り除くことができないことである。除去力が必要である理由は、プラグが明らかに圧着ダイに「接着する」からである。しかしながら、除去力の適用により、プラグ、ケーブルの破損、又は、プラグとケーブルとの間の機械的又は電気的接続の生成が損なわれる可能性がある。プラグと圧着ダイとの間の接着は、特に以下の原因から生じる：
−プラグを圧着するための圧着ダイの半体は、圧着プロセスの間、圧着軸の方向及びこの方向を横切る方向の両方でプラグと接触する圧着曲線を含む。したがって、プラグは、両方向にダイ曲線によって変形する。特にダイ曲線が傾斜した又は湾曲した曲線領域で構築される場合、プラグは、ダイ曲線の狭い圧着軸を横切って可塑的及び弾力的に圧着され、変形する。圧着プロセスの終わりで、プラグは、プラグの弾力性によりダイ曲線内で圧着方向に水平に「圧着される」。上記の効果は、圧着方向を横切る配向性を有しているダイ曲線の曲線領域では発生しない。しかしながら、圧着方向においてダイ曲線の曲線領域の傾斜が増加する際、効果は、重要性を増す。
−接着効果の説明のための代替的又は累積的な試みによれば、マイクロ「凸凹形」又はマイクロ「かみ合い」が圧着プロセスの間、ダイとプラグとの間で構築されると予想された。これらのマイクロ凸凹形又はマイクロかみ合いは、望まれていない除去力の増加の原因である。
−マイクロ溶接がダイとプラグとの間で構築されることもまた、可能である。
【０００９】
上述した現象を回避するため、通常、導線がプラグ又はプラグの表面層の基材として使われる。鉛は、除去を容易にするための一種の潤滑油手段として役立つ。しかしながら、欧州指針ＥＵ２００２／９５／ＥＧは、電気的及び電子的装置において、有害な材料の使用の制限を目的としている。この欧州指針は、鉛として重合金の使用の回避を意図する。この欧州指針によれば、２００６年７月１日から、当面のプラグとしての加工物は、鉛を含むことは許されない。
【００１０】
出願人のドイツ特許出願第１０２００９００１９４９Ａ１号は、圧着プライヤの圧着曲線からの加工物（管接続、ケーブルシュー、ケーブル端スリーブ、プラグなどのための部品として）の除去の簡略化に関するものである。その特許出願において、ダイの半体に特定の弾力性を備えることが提案される。したがって、圧着プロセスの終わりで、ダイは弾力的に広げられ、その結果、ダイは「呼吸する」。ダイのこの呼吸効果のために、圧着プロセスの終わりで加工物が自動的にダイから分離することができる。
【００１１】
米国特許第５，５００，９９９Ａ号は、プラグが、Ｂの垂直脚部の曲線を定める第１の圧着ダイの半体と接触する従来技術を記載する。第２の圧着ダイの半体は、Ｂの湾曲した部分を定める。圧着プロセスの間、第２の圧着ダイの半体は、第１の圧着ダイの半体の方へ動かされる。第２の圧着ダイの半体は、圧着中心部を定めている底部領域を含む。加えて、第２の圧着ダイの半体へと動く場合、第２の圧着ダイの半体はプラグを導入するための傾斜した表面を構築する。斜面の開口角度は、第２の圧着ダイの半体の底部領域の方へ向かって小さくなる。米国特許第５，５００，９９９  Ａ号は、圧着プロセスの終わりの端部位置で、斜面のために圧着された加工物の異なる高さは、２つの圧着ダイの半体の間で構築される隙間ｘにつながるという問題について訴える。隙間ｘの幅は、圧着された加工物の高さによって決まる。隙間ｘは、圧着されたプラグの外側表面で、望まれていないギザギザとなる。米国特許第５，５００，９９９Ａ号は、第２の圧着ダイの半体に４つの曲線部分、すなわち、
−圧着中心部を有する底部領域、
−底部領域から分岐している移行領域、
−平行した曲線部分を有する許容域、及び、
−導入領域、を備えることを提案する。
【００１２】
許容域において、曲線部分は、圧着方向を横切る第１の圧着ダイの半体の拡張部に対応する距離を有する。異なる高さを有する加工物では、第１の圧着ダイの半体は、いかなるギザギザも形成せずに、圧着プロセスの終わりで許容域の複数の異なる位置に位置する。
【００１３】
また、ドイツ特許出願第１９７３７８６３Ａ１号は、第２の圧着ダイの半体が第１の圧着ダイの半体の幅に対応する距離を有する平行した曲線部分を含む許容域を有する圧着ツールを開示する。
【先行技術文献】
【特許文献】
【００１４】
【特許文献１】ドイツ特許出願第１０  ２００９  ００１  ９４９  Ａ１号公報
【特許文献２】米国特許第５，５００，９９９  Ａ号公報
【特許文献３】ドイツ特許出願第１９７  ３７  ８６３  Ａ１号公報
【発明の概要】
【発明が解決しようとする課題】
【００１５】
本発明の目的は、そこで圧着されるケーブルを有する圧着されたプラグが、中に圧着される又圧着ダイに付着する可能性を減少させるＢ形の圧着ダイを提供することである。圧着ダイからケーブルを有するプラグを取り除くための除去力を減少することは、本発明の別の目的である。
【課題を解決するための手段】
【００１６】
転移点で圧着ダイの閉じた状態において、圧着曲線は、第１の圧着曲線部分（第１の圧着ダイの半体によって定められる）から、第２の圧着曲線部分（第２の圧着ダイの半体によって定められる）への転移を有する。本発明は、転移点で、圧着プロセスの間、第１の圧着ダイの半体の移動方向において見られる場合、第２の圧着ダイの半体の曲線の開口角度が増加することを提案する。
【００１７】
本発明によると、第２の圧着ダイの半体の曲線は、転移点の両側上に平面又は均一なガイド表面又は長手脚部を含む。圧着プロセスの初めに、プラグは、これらのガイド表面又は側面脚部の間に導かれて、変形する。転移点でガイド表面又はガイド側面脚部の開口角度が変化する。これらの対策によって、本発明は初めて、転移点の両側上の２つの言及された曲線部分又は側面脚部の異なる開口角度の選択を可能にする：
−転移点の前の第２の圧着ダイの半体の開口角度（第１の圧着ダイの半体の移動方向において見られる場合）は、プラグの第１の変形が、導入段階又は第１の部分的な圧着のために最適化され、そこで、プラグは湾曲した又は巻かれた形状において変形しない又は完全に変形しないように選択される。例えば、プラグの可塑的に変形した材料が圧着ダイの半体間の隙間に入るのを回避するため、２つの圧着ダイの半体間の結果として生じる隙間が十分に小さいように、小さいこの領域で開口角度を選択することは可能である。したがって、圧着プロセスの終わりでギザギザが構築される危険性は減少する。
−本発明によると、転移点の後ろの圧着ダイの半体の移動方向における開口角度の変化によって、他の必要条件が考えられる：ガイド表面又はこの領域において使用する側面脚部は、閉じた状態のダイの圧着曲線の部分である第２の曲線部分を構築する。したがって、これらのガイド表面又は側面脚部は結局、その最終的な状態においてプラグの圧着されたＢ形状を定める。この領域の圧着ダイの半体の開口角度は、作成されるＢ形の圧着曲線に特に適応する。この領域の第２の圧着ダイの半体の開口角度は、Ｂ形のダイとプラグが接着する又は圧着する危険を少なくとも減少するように選択される。本発明は、Ｂ形の圧着ダイにおけるプラグの圧着又は接着の危険が圧着曲線を定める側面脚部又はガイド表面の開口角度の増加によって減少するという発見に基づく。
【００１８】
言い換えてそれを挙げると、本発明の圧着ダイは、従来技術による目的の対立を取り除く：従来技術の圧着ダイの１つの目的は、第２の圧着ダイの半体によって構築された凹部にプラグを導入し、最初の変形を提供するために適切である第２の圧着ダイの曲線の１つの連続的なガイド表面又は側面脚部の開口角度を選択することである。従来技術の圧着ダイの矛盾する目的は、Ｂ形の圧着ダイの閉じた状態においてプラグの曲線を定めるため、及び、Ｂ形の圧着ダイからプラグの除去を容易にするため、第２の圧着ダイ部分の連続的なガイド表面又は側面脚部の開口角度を最適化することである。
【００１９】
本発明によると、転移点の前の第２の圧着ダイの半体の曲線（第１の圧着ダイの半体の移動方向において見られる場合）は、１°から７°、特に３°から６°の開口角度αを有する直線の側面脚部を含む。転移点の後ろの第２の圧着ダイの半体の曲線（第１の圧着ダイ部分の移動方向において見られる場合）は、３°から２０°、特に５°から１５°の開口角度βを有する直線の側面脚部を含む。いずれにせよ、本発明によると、開口角度αは、開口角度βより小さい。１つの例のみを言及すると、開口角度αは、  ｋ  ＝  ０．５（又は、ｋ  ＝  ０．７又はｋ  ＝  ０．８）でα＝  ｋｘβにより生じる。しかしながら、ｋが前記の値から±２０％によって異なることもまた、可能である。
【００２０】
本発明は、開口角度αから開口角度βへの転移のための転移点でいかなるタイプの曲線にも適用される。本発明の一実施態様では、第２の圧着ダイの半体の曲線は、転移点で湾曲する。湾曲は、第２の圧着ダイの半体の凹部を形成するための製造プロセスから起こる可能性がある。しかしながら、湾曲は、プラグの所望の可塑的及び弾力的な変形、又は、プラグの変形プロセスの必要性から起こる可能性もある。転移点の湾曲した設計によって、圧着ダイの閉じた状態における圧着曲線のいかなる影響も望まれていない場合、曲線の湾曲した形状は、湾曲した形状が転移点の後ろで接線方向の配向性により第２の圧着ダイの半体の曲線に入るように転移点の前にすぐに位置してもよい。
【００２１】
本発明の他の実施態様では、第２の圧着ダイの半体の曲線は、転移点でねじれを含む。したがって、第１の圧着ダイの半体の移動方向における第２の圧着ダイの半体の開口角度は、滑らかな転移なしで、開口角度が急増して変化する。これにより、圧着されたプラグの非常に正確な形状が生じる。多くの公知の圧着プロセスでは、転移点で、Ｂ形の圧着ダイは１／１００ｍｍの範囲の公差を含む。これらの小さな公差は、滑らかな転移又は湾曲で転移点を成形する場合には悪化する。
【００２２】
他の本発明の特徴および効果は、以下の図面及び詳細な説明を考察すると当業者に明らかになる。すべてのそのような追加の特徴及び利点は、請求項に記載の本発明の範囲内で本明細書において含まれることが意図される。
【図面の簡単な説明】
【００２３】
本発明は、以下の図面を参照することによって、よりよく理解することができる。図面の構成要素は必ずしも一定の比率であるというわけではなく、その代わりに本発明の原理を明確に示すため強調が配置される。図において、類似した参照番号は、いくつかの図の全体で対応している部分を示す。
【図１】図１は、圧着プロセスの初めにおける従来技術によるＢ形の圧着ダイを概略的に示す。
【図２】図２は、圧着プロセスの間の図１のＢ形の圧着ダイを示す。
【図３】図３は、圧着プロセスの終わりで閉じた状態における図１及び図２によるＢ形の圧着ダイを示す。
【図４】図４は、第１の圧着ダイの半体及び第２の圧着ダイの半体を有する本発明のＢ形の圧着ダイを概略的に示す。
【図５】図５は、同じものの形状の固有値を有するＢ形の他の圧着ダイを示す。
【発明を実施するための形態】
【００２４】
さらに詳細に図面を参照すると、図１から３は、Ｂ形の圧着ダイでプラグを圧着するための圧着プロセスを概略的に示す。図１による圧着プロセスの初めに、第１の圧着ダイの半体１は、第２の圧着ダイの半体２から遠く離れて位置する。第２の圧着ダイの半体２は、ある曲線を有する凹部３を含む。第１の圧着ダイの半体１は、圧着又は移動方向４において凹部３に導入される。図１の破線によって示される、及び、図３に示される末端の状態又は閉じた状態において、第１の圧着ダイの半体１及び第２の圧着ダイの半体２は、圧着プロセスの終わりでプラグの圧着されたＢ形状を定める圧着曲線５を有する空洞を定める。圧着曲線５は、第１の圧着曲線部分６で構築される。第１の圧着曲線部分６は、定められた第１の圧着ダイの半体の前部表面によって構築される。転移点７、８の第１の圧着曲線部分６は、第２の圧着曲線部分９への転移を有する。第１の圧着曲線部分６は凹状形状を有し、Ｂ形の圧着ダイの「Ｂ」の垂直脚部を構築する。示された実施態様では、圧着曲線部分６は、湾曲される又は円の領域で構築される。第２の圧着曲線部分９は、第２の圧着ダイの半体によって構築される。大雑把な簡略化のための、第２の圧着曲線部分９は、一般にＢの取り除かれた垂直脚部及び取り除かれた中間の水平な脚部を有するＢに対応する。Ｂの上下の水平な脚部は、第２の曲線脚部１０、１１を構築する。第２の曲線脚部１０、１１は、転移点１２、１３の凹部３の底部領域１４に変化する。底部領域１４の曲線は（大雑把な簡略化において）、２つの凹状曲線領域１５、１６を持つ鳥の簡略化された図に対応する。曲線領域１５、１６は、ねじれを有して、又は、接線方向の配向性を有して第２の曲線脚部１０、１１）に続く。中央の曲線領域１５、１６は、先端又はいわゆる圧着中心部１７を構築する。従来技術の第２の曲線脚部１０、１１は、整列配置した第１の曲線脚部１８、１９で移動方向の反対側の方向において転移点７、８の上で直線（ねじれなしで）のままである。したがって、従来技術の第１および第２の曲線脚部１０、１８及び１１、１９は、直線のラインを構築する。図１から３に示した実施態様では、凹部３の入口で、第１の曲線脚部１８、１９は湾曲した拡張部又は導入脚部２０、２１を含む。
【００２５】
圧着プロセスの初めに、Ｖ曲線プラグ２２（Ｖの２つの脚部の接続の湾曲した領域を有する）又は放物線状のプラグ２２は、第１の圧着ダイの半体の第１の圧着曲線部分６に配置される。ケーブル２３は、いかなるケーブルによっても、特に７又は１９の束で通常に束ねられたケーブル、又は、微細な有線のケーブルによって構築される。ケーブル２３は、プラグ２２によって構築されたＶに下方向へ挿入される。移動方向４への第１の圧着ダイの半体１の動作で、プラグ２２及びケーブル２３を有する第１の圧着ダイの半体１は、凹部３に入る。プラグ２２の端部領域２４、２５は、第１の圧着曲線部分６より大きな幅を含む。このために、第１の曲線脚部１８、１９は、平行した配向性を有さず、底部領域１４の方へ向かって狭くなる。端部領域２４、２５は、転移点１２、１３を通過する場合、曲線領域１５、１６に沿って導かれる。このガイド動作は、プラグ２２の回転する変形と一致する：端部領域２４、２５は、曲線領域１５、１６に沿って摺動して、圧着部分１７の先端で当接する。移動方向４における第１の圧着ダイの半体１のさらなる動作により、端部領域２４、２５が、ケーブル２３への移動方向４に対向する方向で押圧されるという結果が導かれる。図３において、閉じた状態が達成される。閉じた状態において、ケーブル２３はＢ形状に圧着されるプラグ２２によって、完全に囲まれる。プラグ２２は、ケーブル２３に対して押圧される。
【００２６】
一般に、端部領域２４、２５の案内は、第１の曲線脚部１８、１９間の角度の増加によって容易にされる。しかしながら、第１の曲線脚部１８、１９間の角度の増加は、端部の状態が増加する前に第１の圧着曲線部分６、及び、第１の曲線脚部１８、１９間の隙間になるという結果につながる。隙間のこの増加により、プラグ２２のその変形した材料が隙間に入る結果になる。この結果は、圧着プロセスの終わりで圧着されたプラグ２２の外側表面におけるギザギザにつながる。
【００２７】
本発明のＢ形の圧着ダイ２６は、以下に記載される：一般に、本発明のＢ形の圧着ダイ２６は、上記の圧着ダイに対応して構築される。しかしながら、凹部３の領域で第２の圧着のダイの半体２の曲線２７は、転移点７、８で終わる直線の第１の直線脚部１８、１９で構築される。転移点７、８は、図４に示されるＢ形の圧着ダイ２６の閉じた状態において、第２の圧着ダイの半体２によって構築された第２の圧着曲線部分９へ第１の圧着ダイの半体１によって構築された第１の圧着曲線部分６の転移の場所に対応する。転移点７、８の領域において、第２の圧着ダイの半体２の曲線２７は、ねじれを含む。ねじれにおいて曲線２７は、第１の直線脚部１８、１９から直線の第２の直線脚部１０、１１に変化する。直線の第２の直線脚部１０、１１は、転移点１２、１３で湾曲した曲線領域１５、１６に変化し、そこで、転移は、ねじれによって、又は、第２の直線脚部１０、１１から湾曲した曲線領域１５、１６への接線方向にある転移によって構築される。
【００２８】
想像上の第２の曲線脚部１０’、１１’を有する図４において、第１の直線脚部１８、１９の直線の拡張部を有する従来技術による側面脚部の配向性は、従来技術で公知の実施態様と本発明の実施態様との違いを強調するように示される。本発明の設計から、灰色に着色された違い領域は、図４に示すようになる。この表現により、第２の直線脚部１０、１１の配向性の本発明の変化に対応してまた、曲線領域１５、１６の変更が起こることが分かる。特に、曲線領域１５、１６の湾曲又は屈曲は、増加した。
【００２９】
第１の直線脚部１８、１９は、第２の圧着ダイの半体２の移動方向４又は対称軸２８に関して開口角度αを含む。図４において、開口角度αは、参照番号２９によって示される。第２の直線脚部１０、１１は、第２の圧着ダイの半体２の移動方向４又は対称軸２８に関して開口角度βを含む。図４において、開口角度はβ、参照番号３０によって示される。したがって、相違角度ｘは、曲線脚部１１、１９との間と同様に直線脚部１０、１８の間で構築される。図４において、相違角度ｘは、参照番号３１によって示される。当業者は、図に示される底部領域１４の第２の圧着曲線部分９の選ばれた設計は制限を意図するものではなく、その代わりに、本発明でフレーム内において、底部領域１４のいかなる異なる圧着曲線部分９も使われてもよいことを理解する。
【００３０】
図５において、第１の圧着ダイの半体１及び第２の圧着ダイの半体２を有するＢ形の圧着ダイ２６の可能な形状は、さらに特定される。与えられた形状は、本発明をこれらの形状に制限する意図を有さずに本発明のＢ形の圧着ダイ２６の１つの可能な例を構築するのみである。第１の圧着ダイの半体１の前部表面及びその第１の圧着曲線部分６の幅３２は、３．８６ｍｍである。参照番号２９による開口角度αは、４°である。第１の圧着曲線部分６は、均一かつ平面の設計を有しない。その代わりに、第１の圧着曲線部分６は、２つの外面の平面平坦域３３、３４、及び、２．５ｍｍの半径３６を有する内側の凹状円形の領域３５によって構築される。移動方向４におけるＢ形の圧着ダイ２６の最大の距離３７（第２の圧着曲線部分９からの第１の圧着曲線部分６の最大の距離）は、２．１３ｍｍである。圧着中心部１７は、０．５３ｍｍの第１の圧着曲線部分６の方へ底部領域１４の拡張部３８を有する。参照番号３１によって示される角度  は５°であるので、角度β（参照番号３０によって示される）は、９°である。曲線領域１５、１６は、各々の２つの円領域の曲線３９、４０で構築される。円領域の曲線３９の半径４１は１ｍｍである、一方、円領域の曲線４０の半径４２は０．９２ｍｍである。曲線領域１６の円領域曲線４０の中心からの曲線領域１５の円領域曲線３９の中心の距離４３は、１．７７ｍｍである。
【００３１】
本発明のＢ形の圧着ダイ２６は、特に圧着プライヤ、液圧作動式圧着ツール、又は、いかなるタイプの駆動装置によっても駆動される圧着器のようないかなるツールにおいても使われてもよい。
【００３２】
冒頭部で述べたように、本発明のＢ形の圧着ダイ２６は、いかなる設計もの少なくとも１つのケーブル２３を有するいかなる設計ものプラグ２２で使われてもよい。
【００３３】
圧着プロセスの間、移動方向４にいける第１の圧着ダイの半体の最初の動作で、プラグ２２の端部領域２４、２５は、初めて、第１の直線脚部１８、１９又は拡張部２０、２１の接点４４、４５において第２の圧着ダイの半体２と接触する。移動方向４におけるさらなる動作で、端部領域２４、２５は、連続的に、引き続いて互いの方へ移動方向４を横切るように変形する。第２の圧着ダイの半体２の曲線は、連続的に、引き続いて底部領域１４の方へ接点４４、４５から狭くなる。しかしながら、本発明により、狭くなる分量は転移点７、８で変化する。いかなる公知の製造プロセスも、Ｂ形の圧着ダイ２６を製造し、ダイの半体の曲線を形成するために使われてもよい。いくつかの例のみを挙げると、Ｂ形の圧着ダイ２６は、ワイヤ放電加工又はワイヤ腐食、研磨プロセス及び／又は平削りプロセスで製造されてもよい。記載された曲線が、Ｂ形の圧着ダイ２６の曲線を製造するために使われるコンピュータ数値制御機械において蓄積されることも可能である。研磨製造プロセスによって提供される製造された曲線の表面粗さは、できるだけ小さいように保たれるべきである。追加の硬化プロセスは、特に、転移点７、８で曲線に適用される。
【００３４】
本発明において、第２の圧着ダイの半体は、圧着ダイ中心部１７及び第２の圧着曲線部分９と同様に、底部領域１４及び曲線領域１５、１６を定める圧着ダイの半体を示す。第１の圧着ダイの半体１は、Ｂの垂直脚部を形成するように第１の圧着曲線部分６を定める圧着ダイの半体を示す。したがって、この定義は、さらなる基準に独立している。特に、「第１の」及び「第２の」圧着ダイの半体の使用で、これらの片方のうちどちらが移動され、どちらの片方が載置されるかどうかは関係ない。
【００３５】
本特許出願において、第１の圧着ダイの半体１が、載置されている第２の圧着ダイの半体２の方へ移動される実施態様が記載される。第１の圧着ダイの半体１は、凹部３に入り、底部領域１４に接近する。しかしながら、本発明の対策は、２つの圧着ダイの半体１、２間の相対的な動作を有するいかなる実施態様にも適用される。特に、本発明はまた、第１の圧着ダイの半体１が載置されている一方で、第２の圧着ダイの半体２は移動される実施態様にも当てはまる。本発明は、両方の圧着ダイの半体１、２が互いの方へ移動される実施態様にも当てはまる。
【００３６】
多くの変更及び修正は、本質的に本発明の趣旨及び原理から逸脱せずに本発明の好ましい実施形態に作成される。すべてのそのような修正及び変更は、以下の請求項に記載の本発明の範囲内で、本明細書において含まれる意図を有する。
【符号の説明】
【００３７】
１  第１の圧着ダイの半体
２  第２の圧着ダイの半体
３  凹部
４  移動方向
５  圧着曲線
６  第１の圧着曲線部分
７  転移点
８  転移点
９  第２の圧着曲線部分
１０  第２の曲線脚部
１１  第２の曲線脚部
１２  転移点
１３  転移点
１４  底部領域
１５  曲線領域
１６  曲線領域
１７  圧着中心部
１８  第１の曲線脚部
１９  第１の曲線脚部
２０  拡張部
２１  拡張部
２２  プラグ
２３  ケーブル
２４  端部領域
２５  端部領域
２６  Ｂ形の圧着ダイ
２７  曲線
２８  対称軸
２９  開口角度α
３０  開口角度β
３１  相違角度γ
３２  幅
３３  平坦域
３４  平坦域
３５  円領域
３６  半径
３７  距離
３８  拡張部
３９  円領域曲線
４０  円領域曲線
４１  半径
４２  半径
４３  距離
４４  接点
４５  接点
【図１】
0005877439.tif 000002
【図２】
0005877439.tif 000003
【図３】
0005877439.tif 000004
【図４】
0005877439.tif 000005
【図５】
0005877439.tif 000006